(57)【要約】【課題】冷蔵庫の扉棚の構造において、前方から棚への清掃性を高めること。【解決手段】冷蔵庫の扉内板１０の周縁部に支持され取り付けられ、上面を開放した箱体となっており、本体内部に縦仕切り板１５を設け前後に分割されている扉棚１４において、前記扉棚の縦板１７よび縦仕切り板１５に空間部を設けることにより、水平方向から縦板空間部１８よび縦仕切り板空間部１９手を挿入することが可能となり、冷蔵庫扉に扉棚１４取り付けた状態で底面の清掃性を向上することができる。【選択図】図２
2006200779.tif 000002
【特許請求の範囲】
【請求項１】
鋼板を折曲形成して成る扉外板と、スチロールまたはＡＢＳ樹脂等のプラスチック板を真空成形加工した扉内板と、扉外板の端部に取り付けられたキャップなどから成り、これらにて囲まれた空間に断熱材を発泡充填して成る扉を備えた冷蔵庫において、冷蔵庫の扉内板の周縁部に支持されて庫内側に突出すると共に、上方が開口し、本体内を縦仕切り板により前後に仕切った樹脂製の箱体を有し、前記箱体の前面の縦板および縦仕切り板に全幅にわたり空間部を設けることで、箱体を扉に取り付けた状態での清掃性を向上させた冷蔵庫の扉棚。
【請求項２】
前記扉棚の縦板および縦仕切り板に、鋼板を折曲形成して成る補強板を取り付けた請求項１に記載の冷蔵庫の扉棚。
【請求項３】
扉棚の縦板および縦仕切り板に、鋼板を折曲形成して成る補強板をインサート成形により取り付けた請求項１に記載の冷蔵庫の扉棚。
【請求項４】
前記扉棚空間部は底面から垂直方向で２０ｍｍ以上、幅は４０ｍｍ以上としたことを特徴とする請求項１から請求項３のいずれか一項に記載の冷蔵庫の扉棚。
【請求項５】
前記扉棚の樹脂部に防汚材等を含有し、清掃性を向上させた請求項１から請求項４のいずれか一項に記載の冷蔵庫の扉棚。
【発明の詳細な説明】
【技術分野】
【０００１】
本発明は、冷蔵庫に取り付けられているボトル、パック、ビン等を収納する扉棚に関するものである。
【背景技術】
【０００２】
従来、この種の冷蔵庫の扉棚は図５，６のようなものがある。（例えば、特許文献１参照）。図５は従来の冷凍冷蔵庫の外観図であり、図６は従来の冷蔵庫の扉の側面断面図である。図５において、１は冷蔵庫、２は冷蔵室、３は冷蔵室の扉である。
【０００３】
図６において、冷蔵室の扉は鋼板を折曲形成して成る扉外板４と、スチロールまたはＡＢＳ樹脂等のプラスチック板を真空成形加工した扉内板５と、扉外板４の端部に取り付けられたキャップ６と、前記扉外板４と前記扉内板５との間に充填した断熱材７とで構成され、扉棚８は冷蔵庫の扉内板の周縁部に支持され取り付けられている。扉棚８は上面を開放した箱体となっており、本体内部に縦仕切り板９を設け前後に分割されている。
【特許文献１】特開２００３−１８５３３４号公報
【発明の開示】
【発明が解決しようとする課題】
【０００４】
しかしながら、上記従来の構成では、清掃布などを用いて扉棚を清掃する際、扉に取り付けた状態の扉棚に対し上面開放部の間口が狭いため、扉棚底面にまで手が届かず、底面隅部を十分に拭き取れないという課題を有していた。また、背の低い女性などに対しては、扉棚上面開放部からは本来手が届きにくいという課題を有していた。
【課題を解決するための手段】
【０００５】
上記従来の課題を解決するために、本発明の冷蔵庫の扉棚は、前面の縦板及び本体内部を前後に分割する縦仕切り板に全幅にわたり空間部を設けたものである。
【０００６】
これによって水平方向から手を伸ばし、扉棚の底面に手を挿入することができる。
【発明の効果】
【０００７】
本発明の冷蔵庫の扉棚は、扉に取り付けた状態での扉棚の清掃性を向上することができる。
【発明を実施するための最良の形態】
【０００８】
請求項１に記載の発明は、鋼板を折曲形成して成る扉外板と、スチロールまたはＡＢＳ樹脂等のプラスチック板を真空成形加工した扉内板と、扉外板の端部に取り付けられたキャップなどから成り、これらにて囲まれた空間に断熱材を発泡充填して成る扉を備えた冷蔵庫において、冷蔵庫の扉内板の周縁部に支持されて庫内側に突出すると共に、上方が開口し、本体内を縦仕切り板により前後に仕切られ扉棚を有し、前記扉棚の縦板および縦仕切り板に全幅にわたり空間部を設けることで、水平方向から空間部に手を挿入することが可能となり、扉に取り付けた状態での扉棚の清掃性を向上することができる。
【０００９】
請求項２に記載の発明は、請求項１に記載の発明において、空間部を設けた縦板および本体内部を前後に分割する縦仕切り板に鋼板を折曲形成して成る板を取り付けることにより、空間部を設けた前記縦板および前記縦仕切り板の厚みを軽減することとなり、空間部の間口を広げることができる。
【００１０】
請求項３に記載の発明は、請求項１に記載の発明において、空間部を設けた扉棚の前面の縦板および本体内部を前後に分割する縦仕切り板に鋼板を折曲形成して成る板をインサート成形で設けることにより、空間部を設けた前記縦板および前記縦仕切り板の厚みを軽減することとなり、空間部の間口を広げることができる。
【００１１】
請求項４に記載の発明は、前記縦板および前記縦仕切り板の空間部は垂直方向で扉棚底面から２０ｍｍ以上、幅は４０ｍｍ以上とすることにより、前記扉棚内の収納物が空間部より落下することを防止すると共に、無理なく水平方向から空間部に手を挿入することができることにより、さらなる使い勝手の向上を図ることができる。
【００１２】
請求項５に記載の発明は、前記扉棚を形成する樹脂に防汚材等を含有することにより、ジュース、牛乳などの食品類の付着および固着を軽減し、清掃時の拭き取り性を向上させることができる。
【００１３】
以下、本発明の実施の形態について、図面を参照しながら説明する。なお、この実施の形態によってこの発明が限定されるものではない。
【００１４】
（実施の形態１）
図１は本発明の実施の形態１における扉棚を使用した冷蔵庫扉の外観斜視図、図２は扉棚の外観斜視図、中央断面図である。
【００１５】
図１において、扉は鋼板を折曲形成して成る扉外板１０と、スチロールまたはＡＢＳ樹脂等のプラスチック板を真空成形加工した扉内板１１と、扉外板１０の端部に取り付けられたキャップ１２と、前記扉外板１０と前記扉内板１１との間に充填した断熱材１３とで構成され、扉棚１４は冷蔵庫の扉内板１０の周縁部に支持され取り付けられている。扉棚１４は上面を開放した箱体となっており、本体内部に縦仕切り板１５を設け前後に分割されている。
【００１６】
図２において扉棚１４は、収納部１６、縦板１７、縦板空間部１８、縦仕切り板１５、縦仕切り板空間部１９、開口部２０から構成され、扉棚１４はポリスチレン等の樹脂の一体成形によりつくられる。
【００１７】
以上のように構成された扉棚について、以下その動作、作用を説明する。
【００１８】
まず、ペットボトル、牛乳パックなどの食品類の出し入れは、開口部２０から行う。そして清掃布などを用いて扉棚の底面周辺を清掃する際は、水平方向から縦板空間部１８さらに縦仕切り板空間部１９に手を挿入する。
【００１９】
以上のように、本実施の形態においては扉棚の縦板１７よび縦仕切り板１５空間部を設けることにより、水平方向から縦板空間部１８よび縦仕切り板空間部１９に手を挿入することが可能となり、冷蔵庫扉に扉棚１４取り付けた状態で底面の清掃性を向上することができる。
【００２０】
また、本実施の形態では、縦板空間部１８および縦仕切り板空間部１９の寸法２１，２２は、垂直方向で扉棚底面から２０ｍｍ以上（Ａ≧２０）、幅は４０ｍｍ以上（Ｂ≧４０）に設定することにより、小びん等が棚底で横転した場合の飛び出しを抑制し、かつ水平方向からの底面の清掃性の向上を維持することができる。
【００２１】
また、扉棚成形時、成形樹脂に防汚材を含有することにより、ジュース、牛乳などの食品類の付着および固着を軽減し、清掃時の拭き取り性を向上させることができる。
【００２２】
（実施の形態２）
図３は実施の形態２における扉棚の外観斜視図、中央断面図、および部分拡大図である。
【００２３】
図３において扉棚２３は、樹脂と鉄板からなる２種類の材料の部品から構成される。樹脂部は収納部２４、縦板２５、縦板空間部２６、縦仕切り板２７、縦仕切り板空間部２８、開口部２９、から構成され、鉄板部は鉄板３０、鉄板３１から構成される。扉棚２３はポリスチレン等の樹脂で樹脂部が一体成形された後、鉄板部を取り付けて構成される。鉄板３０は穴３２  を縦板のツメ３３に、鉄板３１は穴３４を縦仕切り板のツメ３５に勘合し固定する。
【００２４】
以上のように、本実施の形態における扉棚は、鉄板を縦板および縦仕切り板に取り付けることで、縦板および縦仕切り板の強度が上がり、縦板空間部および縦仕切り板空間部の間口を広げることができる。これにより、扉棚の清掃性をさらに向上することができる。
【００２５】
(実施の形態３)
図４は実施の形態３における扉棚の外観斜視図、中央断面図、および部分拡大図である。
【００２６】
図４において扉棚３６は、樹脂と鉄板からなる２種類の材料の部品から構成される。樹脂部は収納部３７、縦板３８、縦板空間部３９、縦仕切り板４０、縦仕切り板空間部４１、開口部４２、から構成され、鉄板部は鉄板４３、鉄板４４から構成される。扉棚３７はポリスチレン等の樹脂で、鉄板４３、鉄板４４をインサート成形により成形したものである。
【００２７】
以上のように、本実施の形態における扉棚は、鉄板を縦板および縦仕切り板にインサート成形することで、縦板および縦仕切り板の強度が上がり、縦板空間部および縦仕切り板空間部の間口を広げることができる。これにより、扉棚の清掃性をさらに向上することができる。
【産業上の利用可能性】
【００２８】
以上のように、本発明にかかる冷蔵庫の扉棚は、扉に取り付けた状態での棚の清掃性を向上させることが可能となるので、回転式扉に取付けている縦板を有する棚等の用途にも適用できる。
【図面の簡単な説明】
【００２９】
【図１】本発明の実施の形態１における冷蔵庫扉の外観斜視図
【図２】同実施の形態１における扉棚の外観斜視図および中央断面図
【図３】本発明の実施の形態２における扉棚の外観斜視図および中央断面図
【図４】本発明の実施の形態３における扉棚の外観斜視図および中央断面図
【図５】従来の冷凍冷蔵庫の外観図
【図６】従来の冷蔵庫の扉の側面断面図
【符号の説明】
【００３０】
１４    扉棚
１８    縦板空間部
１９    縦仕切り板空間部
２３    扉棚
２６    縦板空間部
２８    縦仕切り板空間部
３０    鉄板
３１    鉄板
３６    扉棚
３９    縦板空間部
４１    縦仕切り板空間部
４３    鉄板
４４    鉄板
【図１】
2006200779.tif 000003
【図２】
2006200779.tif 000004
【図３】
2006200779.tif 000005
【図４】
2006200779.tif 000006
【図５】
2006200779.tif 000007
【図６】
2006200779.tif 000008